(57)【要約】【課題】電気光学装置に電気的に接続されるフレキシブル配線基板のＯＬＢ部における電気抵抗の増加を防止する。【解決手段】電気光学装置（１）は、互いに対向して配置された一対の基板（１０、２０）と、一対の基板のうち一方の基板の複数の画素が配列された画素領域（１０ａ）と、画素領域の周辺に位置する周辺領域と、周辺領域において、一方の基板の第１辺に沿って配置され、複数の画素を駆動する半導体素子（３１０）と、周辺領域において、第１辺に隣接すると共に第１辺よりも短い第２辺に沿って配列された複数の接続端子（１０２）とを備える。【選択図】図１
2010175818.tif 000002
【特許請求の範囲】
【請求項１】
互いに対向して配置された一対の基板と、
前記一対の基板のうち一方の基板の複数の画素が配列された画素領域と、
前記画素領域の周辺に位置する周辺領域と、
前記周辺領域において、前記一方の基板の第１辺に沿って配置され、前記複数の画素を駆動する半導体素子と、
前記周辺領域において、前記第１辺に隣接すると共に前記第１辺よりも短い第２辺に沿って配列された複数の接続端子と
を備える
ことを特徴とする電気光学装置。
【請求項２】
前記一対の基板のうち他方の基板に貼り合わされた防塵用基板を更に備え、
前記一対の基板上で平面的に見て、前記防塵用基板は、前記半導体素子を少なくとも部分的に覆っている
ことを特徴とする請求項１に記載の電気光学装置。
【請求項３】
請求項１又は２に記載の電気光学装置を備えることを特徴とする電子機器。
【発明の詳細な説明】
【技術分野】
【０００１】
本発明は、例えば液晶装置等の電気光学装置、及びこれを備えてなる、例えば液晶プロジェクター等の電子機器の技術分野に関する。
【背景技術】
【０００２】
この種の装置として、例えば特許文献１には、基板上に実装されたＩＣ（Ｉｎｔｅｇｒａｔｅｄ  Ｃｉｒｃｕｉｔ）と、該基板の端部に接続された可撓性基板とを有する電気光学装置が記載されている。ここでは特に、ＩＣ及び可撓性基板を基板に実装するための複数の基板側端子の一部の周囲がシールド層で囲まれていることが記載されている。
【０００３】
尚、この種の電気光学装置の一例である液晶パネルを、液晶プロジェクターにおけるライトバルブとして用いる場合、ライトバルブの表面にごみや埃等（以下、適宜“粉塵”と称する）が付着すると、映写幕上にその粉塵の像もまた投影されてしまうことで、画像の品質を低下させるおそれがある。このため、液晶パネルを構成する基板の外側表面に防塵用のガラス板が設けられることが多い。
【先行技術文献】
【特許文献】
【０００４】
【特許文献１】特開２００６−９８４５０号公報
【発明の概要】
【発明が解決しようとする課題】
【０００５】
しかしながら、特許文献１によれば、ＩＣの長辺が沿う基板の辺と可撓性基板が接続される基板の辺とが同じである。すると、例えば、電気光学装置を備えてなる電子機器の小型化等を図るために、基板の短辺に可撓性基板を接続する場合、可撓性基板のＯＬＢ（Ｏｕｔｅｒ  Ｌｅａｄ  Ｂｏｎｄｉｎｇ）部の形成精度が制限となり、可撓性基板のＯＬＢ部における電極と、基板上に形成された電極とがずれてしまう可能性がある。この結果、電気的な接触面積が小さくなり、電気抵抗が増加する可能性があるという技術的問題点がある。
【０００６】
本発明は、例えば上記問題点に鑑みてなされたものであり、ＯＬＢ部における電気抵抗の増加を防止することができる電気光学装置及び電子機器を提供することを課題とする。
【課題を解決するための手段】
【０００７】
本発明の電気光学装置は、上記課題を解決するために、互いに対向して配置された一対の基板と、前記一対の基板のうち一方の基板の複数の画素が配列された画素領域と、前記画素領域の周辺に位置する周辺領域と、前記周辺領域において、前記一方の基板の第１辺に沿って配置され、前記複数の画素を駆動する半導体素子と、前記周辺領域において、前記第１辺に隣接すると共に前記第１辺よりも短い第２辺に沿って配列された複数の接続端子とを備える。
【０００８】
本発明の電気光学装置によれば、複数の画素の各々を駆動する駆動用ドライバーとしての半導体素子は、一対の基板のうち一方の基板の画素領域の周辺に位置する周辺領域において、一方の基板の第１辺に沿って配置されている。ここに、「画素領域」とは、個々の画素の領域を意味するのではなく、複数の画素が平面配列された領域全体を意味し、典型的には、「画像表示領域」或いは「表示領域」に相当する。また、「第１辺に沿って配置」とは、半導体素子の長辺が第１辺に沿うように配置されることを意味する。
【０００９】
複数の接続端子は、一方の基板の周辺領域において、第１辺に隣接すると共に該第１辺よりも短い第２辺に沿って配列されている。尚、複数の接続端子の各々は、当該電気光学装置と外部回路とを電気的に接続するための端子であり、典型的には、複数の接続端子を介して、半導体素子に各種信号が入力される。
【００１０】
本願発明者の研究によれば、一方の基板における、半導体素子が沿う辺と複数の接続端子が沿う辺とが同じである場合であって、半導体素子が一方の基板の短辺に沿って配置される場合、半導体素子のピン数によっては、互いに隣り合うピン間の距離（即ち、ピッチ）がより狭くなる可能性がある。すると、互いに隣り合う接続端子間の距離もより狭くなるが、複数の接続端子と電気的に接続する、例えばフレキシブル配線基板のＯＬＢ部の形成精度に起因して、該ＯＬＢ部における電極と、一方の基板の接続端子とがずれてしまう可能性があることが判明している。
【００１１】
しかるに本発明では、半導体素子が一方の基板の第１辺に沿って配置されていると共に、複数の接続端子が第１辺に隣接すると共に該第１辺よりも短い第２辺に沿って配置されている。このため、複数の接続端子を、半導体素子のピンピッチに拘らず形成することができる。この結果、複数の接続端子を、例えばフレキシブル配線基板のＯＬＢ部の形成精度に応じて形成することができ、もって、ＯＬＢ部における電極と接続端子とがずれてしまうことを防止することができる。従って、ＯＬＢ部における電気抵抗の増加を防止することができる。
【００１２】
本発明では特に、複数の接続端子が配置される第２辺は、半導体素子が配置される第１辺よりも短い。すると、例えばフレキシブル配線基板を当該電気光学装置の短辺に接続することができるので、例えば当該電気光学装置を電子機器に実装する際に、配置の自由度を向上させることができる。
【００１３】
更に、半導体素子が一方の基板に配置されているので、例えば外部回路として駆動用ドライバーを設ける場合に比べて、ノイズの影響を受け難くなり、当該電気光学装置を安定して駆動することができ、実用上非常に有利である。
【００１４】
本発明の電気光学装置の一態様では、前記一対の基板のうち他方の基板に貼り合わされた防塵用基板を更に備え、前記一対の基板上で平面的に見て、前記防塵用基板は、前記半導体素子を少なくとも部分的に覆っている。
【００１５】
この態様によれば、一対の基板のうち他方の基板に貼り合わされた防塵用基板は、一対の基板上で平面的に見て、半導体素子を少なくとも部分的に覆っている。尚、防塵用基板と半導体素子との間には、例えば接着剤等が充填されていてもよいし、何も充填されていなくてもよい（即ち、防塵用基板と半導体素子とが互いに接触していてもよい）。
【００１６】
この態様によれば、半導体素子の熱を防塵用基板を介して放散することができる（即ち、防塵用基板を放熱用部材として機能させることができる）ので、例えば半導体素子の熱暴走等の発生を抑制することができる。
【００１７】
本発明に係る電子機器は、上記課題を解決するために、上述した本発明の電気光学装置（但し、その各種態様を含む）を備える。
【００１８】
本発明の電子機器によれば、上述した本発明の電気光学装置を備えているので、当該電子機器の小型化を図ることができると共に、高品質な表示を行うことが可能な、投射型表示装置、携帯電話、電子手帳、ワードプロセッサー、ビューファインダー型又はモニター直視型のビデオテープレコーダー、ワークステーション、テレビ電話、ＰＯＳ端末、タッチパネルなどの各種電子機器を実現できる。
【００１９】
また、本発明の電子機器として、例えば電子ペーパーなどの電気泳動装置、電子放出装置（Ｆｉｅｌｄ  Ｅｍｉｓｓｉｏｎ  Ｄｉｓｐｌａｙ及びＣｏｎｄｕｃｔｉｏｎ  Ｅｌｅｃｔｒｏｎ−Ｅｍｉｔｔｅｒ  Ｄｉｓｐｌａｙ）、これら電気泳動装置、電子放出装置を用いた表示装置を実現することも可能である。
【００２０】
本発明の作用及び他の利得は次に説明する実施するための形態から明らかにされる。
【図面の簡単な説明】
【００２１】
【図１】本発明の実施形態に係る液晶装置の全体構成を示す平面図である。
【図２】図１のＡ−Ａ´線断面図である。
【図３】本発明の実施形態に係る液晶パネルのＴＦＴアレイ基板を、その上に形成された各構成要素と共に対向基板の側から見た平面図である。
【図４】図３のＨ−Ｈ´線断面図である。
【図５】本発明の実施形態に係る液晶装置を適用した電子機器の一例としてのプロジェクターの構成を示す平面図である。
【発明を実施するための形態】
【００２２】
以下、本発明に係る電気光学装置及び電子機器の各実施形態を図面に基づいて説明する。尚、以下の図では、各層・各部材を図面上で認識可能な程度の大きさとするため、該各層・各部材ごとに縮尺を異ならしめてある。また、以下の実施形態では、電気光学装置の一例として、駆動回路内蔵型のＴＦＴ（Ｔｈｉｎ  Ｆｉｌｍ  Ｔｒａｎｓｉｓｔｏｒ）アクティブマトリックス駆動方式の液晶装置を挙げる。
【００２３】
＜液晶装置＞
先ず、本実施形態に係る液晶装置の全体構成について、図１及び図２を参照して説明する。ここに、図１は、本実施形態に係る液晶装置の全体構成を示す平面図であり、図２は、図１のＡ−Ａ´線断面図である。
【００２４】
図１及び図２において、液晶装置１は、液晶パネル１００、防塵ガラス２１０及び２２０、駆動用ドライバーＩＣ３１０並びにフレキシブル配線基板３２０を備えて構成されている。ここに、本実施形態に係る「防塵ガラス２１０」及び「駆動用ドライバーＩＣ３１０」は、夫々、本発明に係る「防塵用基板」及び「半導体素子」の一例である。
【００２５】
ここで、液晶パネル１００の構成について、図３及び図４を参照して詳細に説明する。ここに、図３は、本実施形態に係る液晶パネルのＴＦＴアレイ基板を、その上に形成された各構成要素と共に、対向基板の側から見た平面図であり、図４は、図３のＨ−Ｈ´線断面図である。
【００２６】
図３及び図４において、液晶パネル１００では、ＴＦＴアレイ基板１０及び対向基板２０が対向配置されている。ＴＦＴアレイ基板１０は、例えば、石英基板、ガラス基板、シリコン基板等の基板からなり、対向基板２０は、例えば、石英基板、ガラス基板等の基板からなる。ここに、本実施形態に係る「ＴＦＴアレイ基板１０」及び「対向基板２０」は、夫々、本発明に係る「一方の基板」及び「他方の基板」の一例である。
【００２７】
ＴＦＴアレイ基板１０と対向基板２０との間に液晶層５０が封入されており、ＴＦＴアレイ基板１０と対向基板２０とは、本発明に係る「画素領域」の一例としての画像表示領域１０ａの周囲に位置するシール領域に設けられたシール材５２により相互に接着されている。
【００２８】
シール材５２は、両基板を貼り合わせるための、例えば紫外線硬化樹脂や熱硬化樹脂、又は紫外線・熱併用型硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、ギャップ）を所定値とするためのグラスファイバー或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００２９】
図３において、シール材５２が配置されたシール領域の内側に並行して、画像表示領域１０ａを規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００３０】
周辺領域のうち、シール材５２が配置されたシール領域の外側に位置する領域には、データ線駆動回路１０１がＴＦＴアレイ基板１０の一辺に沿って設けられている。この一辺に沿ったシール領域よりも内側にサンプリング回路７が額縁遮光膜５３に覆われるようにして設けられている。他方、この一辺に沿って、データ線駆動回路１０１よりも外側（即ち、図３におけるＴＦＴアレイ基板１０が対向基板２０から張り出した張出し部であって、データ線駆動回路１０１の下側）には、駆動用ドライバーＩＣ３１０が実装されている。
【００３１】
走査線駆動回路１０４は、この一辺に隣接する２辺に沿ったシール領域５２ａの内側の額縁領域に、額縁遮光膜５３に覆われるようにして設けられている。また、外部回路接続端子１０２は、走査線駆動回路１０４の一方が沿う辺（即ち、図３におけるＴＦＴアレイ基板１０の左側の辺）の縁に沿って設けられている。
【００３２】
尚、本実施形態に係る「外部回路接続端子１０２」は、本発明に係る「複数の接続端子」の一例であり、図３におけるＴＦＴアレイ基板１０の「下辺」及び「左辺」は、夫々、本発明に係る「第１辺」及び「第２辺」の一例である。
【００３３】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。更に、駆動用ドライバーＩＣ３１０と、データ線駆動回路１０１、走査線駆動回路１０４、上下導通端子１０６等とを電気的に接続するための引回配線９０が形成されている。
【００３４】
尚、外部回路接続端子１０２と駆動用ドライバーＩＣ３１０とは、ここでは図示しない配線を介して、相互に電気的に接続されている。
【００３５】
図４において、ＴＦＴアレイ基板１０上には、駆動素子である画素スイッチング用のＴＦＴや走査線、データ線等の配線が作り込まれた積層構造が形成される。この積層構造の詳細な構成については図４では図示を省略してあるが、この積層構造の上に、ＩＴＯ（Ｉｎｄｉｕｍ  Ｔｉｎ  Ｏｘｉｄｅ）等の透明材料からなる画素電極９ａが、画素毎に所定のパターンで島状に形成されている。
【００３６】
画素電極９ａは、後述する対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００３７】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクター用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００３８】
遮光膜２３上に、ＩＴＯ等の透明材料からなる対向電極２１が複数の画素電極９ａと対向して形成されている。遮光膜２３上に、画像表示領域１０ａにおいてカラー表示を行うために、開口領域及び非開口領域の一部を含む領域に、図４には図示しないカラーフィルターが形成されるようにしてもよい。対向基板２０の対向面上における、対向電極２１上には、配向膜２２が形成されている。
【００３９】
尚、図３及び図４に示したＴＦＴアレイ基板１０上には、これらのデータ線駆動回路１０１、走査線駆動回路１０４、サンプリング回路７等に加えて、複数のデータ線に所定電圧レベルのプリチャージ信号を画像信号に先行して各々供給するプリチャージ回路、製造途中や出荷時の当該液晶装置１の品質、欠陥等を検査するための検査回路等を形成してもよい。
【００４０】
また、駆動用ドライバーＩＣ３１０は、データ線駆動回路１０１の機能の一部又は全部を有していてもよい。
【００４１】
再び、図１及び図２に戻り、防塵ガラス２１０は、ＴＦＴアレイ基板１０上で平面的に見て、駆動用ドライバーＩＣ３１０を、少なくとも部分的に覆っている。図２に示すように、防塵ガラス２１０が駆動用ドライバーＩＣ３１０に接しているため、防塵ガラス２１０を介して、効率的に駆動用ドライバーＩＣ３１０の熱を放散することができる。
【００４２】
尚、防塵ガラス２１０と駆動用ドライバーＩＣ３１０との間には、例えば比較的熱伝導率の高い、熱伝導性接着剤等が充填されていてもよい。
【００４３】
フレキシブル配線基板３２０は、外部回路接続端子１０２に電気的に接続されている。フレキシブル配線基板３２０上には、例えばストライプ状に複数の配線が形成されている。該複数の配線の一部に電源電圧が印加されたり、該複数の配線の他の部分に、例えば画像信号等の各種信号が供給されたりすることによって、駆動用ドライバーＩＣ３１０を介して、液晶パネル１００が駆動される。
【００４４】
本実施形態では特に、駆動用ドライバーＩＣ３１０が沿っている辺（即ち、図１におけるＴＦＴアレイ基板１０の下辺）と、外部回路接続端子１０２が沿っている辺（即ち、図１におけるＴＦＴアレイ基板１０の左辺）とが異なっている。このため、外部回路接続端子１０２を、駆動用ドライバーＩＣ３１０のピンピッチに拘らずに形成することができる。この結果、外部回路接続端子１０２を、フレキシブル配線基板３２０のＯＬＢ部の形成精度に応じて形成することができ、もって、ＯＬＢ部における電極と外部回路接続端子１０２とがずれてしまうことを防止することができる。従って、ＯＬＢ部における電気抵抗の増加を防止することができる。
【００４５】
＜電子機器＞
次に、図５を参照しながら、上述した液晶装置を電子機器の一例であるプロジェクターに適用した場合を説明する。上述した液晶装置１は、プロジェクターのライトバルブとして用いられている。図５は、プロジェクターの構成例を示す平面図である。
【００４６】
図５に示すように、プロジェクター１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００４７】
液晶パネル１１１０Ｒ、１１１０Ｂおよび１１１０Ｇの構成は、上述した液晶装置１と同等の構成を有しており、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００４８】
ここで、各液晶パネル１１１０Ｒ、１１１０Ｂおよび１１１０Ｇによる表示像について着目すると、液晶パネル１１１０Ｒ、１１１０Ｂによる表示像は、液晶パネル１１１０Ｇによる表示像に対して左右反転することが必要となる。
【００４９】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルターを設ける必要はない。
【００５０】
尚、図５を参照して説明した電子機器の他にも、モバイル型のパーソナルコンピューターや、携帯電話、液晶テレビ、ビューファインダー型又はモニター直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００５１】
尚、本発明は、上述の実施形態で説明した液晶装置以外にも、シリコン基板上に素子を形成する反射型液晶装置（Ｌｉｑｕｉｄ  Ｃｒｙｓｔａｌ  Ｏｎ  Ｓｉｌｉｃｏｎ：ＬＣＯＳ）等にも適用可能である。
【００５２】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【符号の説明】
【００５３】
１…液晶装置、１０…ＴＦＴアレイ基板、１０ａ…画像表示領域、２０…対向基板、１００…液晶パネル、１０２…外部回路接続端子、３１０…駆動用ドライバーＩＣ、３２０…フレキシブル配線基板
【図１】
2010175818.tif 000003
【図２】
2010175818.tif 000004
【図３】
2010175818.tif 000005
【図４】
2010175818.tif 000006
【図５】
2010175818.tif 000007